(57)【要約】【課題】複数台のコンピュータを備えるシステムにおいて、起動時の電圧低下を簡単な構成で適切に防ぐ。【解決手段】直流電源を出力する電源装置９０と、電源装置９０から出力される直流電源が電源ケーブルを介して供給され、供給された直流電源により駆動されるＮ台（Ｎは２以上の整数）のコンピュータ１００〜４００とを備えるコンピュータシステムである。ここで、電源ケーブルとして、電源供給用ケーブル８１〜８４と機器間接続用ケーブル８５とを有し、電源供給用ケーブル８１〜８４で電源装置９０と複数台のコンピュータ１００〜４００とを接続して、電源装置９０からそれぞれのコンピュータ１００〜４００に直流電源を供給する。さらに、機器間接続用ケーブル８５でＮ台のコンピュータ１００〜４００の間を接続して、他のコンピュータを経由した直流電源が供給できるようにした。【選択図】図１
2020067760.tif 000002
【特許請求の範囲】
【請求項１】
直流電源を出力する電源装置と、前記電源装置から出力される直流電源が電源ケーブルを介して供給され、供給された直流電源により駆動されるＮ台（Ｎは２以上の整数）のコンピュータとを備えるコンピュータシステムであって、
前記電源ケーブルとして、電源供給用ケーブルと機器間接続用ケーブルとを有し、
前記電源供給用ケーブルで前記電源装置と複数台の前記コンピュータとを接続して、前記電源装置からそれぞれの前記コンピュータに直流電源を供給すると共に、前記機器間接続用ケーブルでＮ台の前記コンピュータの間を接続して、他の前記コンピュータを経由した直流電源が供給できるようにした
コンピュータシステム。
【請求項２】
Ｎ台の前記コンピュータは、起動時の起動タイミングをシフトさせるようにした
請求項１に記載のコンピュータシステム。
【請求項３】
Ｎ台の前記コンピュータが相互に通信を行って、それぞれの前記コンピュータがシフトしたタイミングで起動するようにした
請求項２に記載のコンピュータシステム。
【請求項４】
起動時に前記コンピュータに供給される直流電源の電圧低下率が規定された低下率を超えない範囲で、Ｍ台（ＭはＮ未満で２以上の整数）の前記コンピュータを同時起動させて、Ｍ台の前記コンピュータを単位として起動時の起動タイミングをシフトさせる
請求項２に記載のコンピュータシステム。
【請求項５】
直流電源により駆動されるＮ台（Ｎは２以上の整数）のコンピュータを備えたコンピュータシステムに、電源装置からの直流電源を供給するコンピュータシステム電源供給方法において、
前記電源装置からＮ台の前記コンピュータに、電源供給用ケーブルを使って直接に直流電源を供給する電源供給処理と、
Ｎ台の前記コンピュータの間を、機器間接続用ケーブルを使って直流電源を分配できるようにした電源分配処理と、を行う
コンピュータシステム電源供給方法。
【発明の詳細な説明】
【技術分野】
【０００１】
本発明は、コンピュータシステムおよびコンピュータシステム電源供給方法に関し、特に複数台のコンピュータに電源を供給する技術に関する。
【背景技術】
【０００２】
産業用のシステムにおいては、複数台のコンピュータを備えたものが各種実用化されている。例えば、複数台の印刷機（画像形成装置）を備えた印刷システムにおいて、それぞれの印刷機を制御したり、印刷用のデータの保存や転送を行うコンピュータを複数台備えたものがある。
【０００３】
図７は、従来の複数台のコンピュータを備えたシステムの電源供給構成の例を示す図である。
図７に示す例では、４台のコンピュータ１０，２０，３０，４０が印刷用の制御や印刷データの保存などの、印刷システムに必要な制御やデータ処理を分散して行っている。
【０００４】
４台のコンピュータ１０〜４０は、電源装置９０からの直流電源により作動する。
すなわち、電源装置９０は、直流１２Ｖの電源を出力する端子部９１と、接地電位ＧＮＤの端子部９２とを備え、端子部９１，９２と各コンピュータ１０〜４０とを、個別の電源ケーブル８１，８２，８３，８４で接続する。
例えば、第１コンピュータ１０の電源入力端子１１は、電源ケーブル８１の一方のライン８１ａを使用して、電源装置９０の直流１２Ｖの端子部９１に接続される。また、第１コンピュータ１０の接地端子１２は、電源ケーブル８２の他方のライン８１ｂを使用して、電源装置９０の接地電位ＧＮＤの端子部９２に接続される。
【０００５】
同様に、第２コンピュータ２０の電源入力端子２１と接地端子２２を、電源ケーブル８２のライン８２ａ，８２ｂを使用して、電源装置９０の端子部９１，９２に接続する。また、第３コンピュータ３０の電源入力端子３１と接地端子３２を、電源ケーブル８３のライン８３ａ，８３ｂを使用して、電源装置９０の端子部９１，９２に接続する。さらに、第４コンピュータ４０の電源入力端子４１と接地端子４２を、電源ケーブル８４のライン８４ａ，８４ｂを使用して、電源装置９０の端子部９１，９２に接続する。
このように接続することで、各コンピュータ１０〜４０に電源装置９０からの直流１２Ｖ電源が供給され、この直流１２Ｖ電源で各コンピュータ１０〜４０が作動する。
【０００６】
ところで、通常、コンピュータは起動時には、定常時よりも大きな電流を必要とする。例えば、図７に示す構成のように直流１２Ｖの電源を供給する構成の場合、定常時には数百ｍＡから１Ａ程度の電流でよいが、起動時には定常時の数倍の数Ａ程度の大電流が必要になる。
このように、起動時に大電流が流れると、ケーブルの抵抗により、電源装置９０の電源電圧が規定値である１２Ｖを維持できなくなる。そして、起動時の電源電圧が規定値を維持できないと、コンピュータの起動が適切にできない状態が発生してしまう。一般に、コンピュータの電源電圧は、１２Ｖなどの規定値からの変動を５％以下に抑えることが要求されており、ケーブルの長さなどの条件によっては、５％を超える電圧低下が発生する場合がある。
【０００７】
特許文献１には、電源装置（電源ユニット）から複数台のコンピュータ（サーバ）に直流電源を供給する電源ケーブルを、予め決めた長さ以内に制限して、コンピュータに供給される電源の電圧低下を防ぐ技術が記載されている。
【先行技術文献】
【特許文献】
【０００８】
【特許文献１】特開２０１１−２２２９２８１号公報
【発明の概要】
【発明が解決しようとする課題】
【０００９】
特許文献１に記載されるように、電源ケーブルの長さを制限することで、コンピュータに供給される電源の電圧低下をそれなりに抑えることができる。しかしながら、電源ケーブルの長さを制限すると、複数台のコンピュータを設置する場合の設置位置が電源装置の近傍に制約されるため、コンピュータの自由な設置ができないという問題がある。また、電源ケーブルの長さを制限することで実現できる電圧低下の抑止効果には限りがあり、起動時の電圧低下を防ぐことが十分にできているとは言えないという問題もあった。
また、起動時の電圧低下を防ぐ別の方法として、起動時の大電流に耐えるような太い電源ケーブルを使用することが知られている。しかしながら、起動時の大電流に耐えるような太い電源ケーブルは、通常の電源ケーブルに比べて高価であり、システムの構築に要するコストが増大するという問題がある。
【００１０】
本発明は、複数台のコンピュータを備えるシステムにおいて、起動時の電圧低下を簡単な構成で適切に防ぐことを目的とする。
【課題を解決するための手段】
【００１１】
本発明のコンピュータシステムは、直流電源を出力する電源装置と、電源装置から出力される直流電源が電源ケーブルを介して供給され、供給された直流電源により駆動されるＮ台（Ｎは２以上の整数）のコンピュータとを備えるコンピュータシステムである。
そして、本発明のコンピュータシステムは、電源ケーブルとして、電源供給用ケーブルと機器間接続用ケーブルとを有し、電源供給用ケーブルで電源装置と複数台のコンピュータとを接続して、電源装置からそれぞれのコンピュータに直流電源を供給すると共に、機器間接続用ケーブルでＮ台のコンピュータの間を接続して、他のコンピュータを経由して直流電源を供給するようにした。
【００１２】
また、本発明のコンピュータシステム電源供給方法は、直流電源により駆動されるＮ台（Ｎは２以上の整数）のコンピュータを備えたコンピュータシステムに、電源装置からの直流電源を供給する電源供給方法である。
そして、コンピュータシステム電源供給方法では、電源装置からＮ台の前記コンピュータに、電源供給用ケーブルを使って直接に直流電源を供給する電源供給処理と、Ｎ台のコンピュータの間を、機器間接続用ケーブルを使って直流電源を分配する電源分配処理と、を行うようにしている。
【発明の効果】
【００１３】
本発明によると、複数台（Ｎ台）のコンピュータの間を、機器間接続用ケーブルを使って接続したことで、電源装置からの直流電源を、各コンピュータを経由して分配できるようになり、電圧低下を防ぎながら大電流でコンピュータを起動できるようになる。
【図面の簡単な説明】
【００１４】
【図１】本発明の一実施の形態例によるシステム例を示す構成図である。
【図２】本発明の一実施の形態例による起動処理例を示すフローチャートである。
【図３】本発明の一実施の形態例による電源電圧の変化例を示す特性図である。
【図４】本発明を適用しない場合の電源電圧の変化例を示す特性図である。
【図５】本発明の一実施の形態例による起動時の各ケーブルの電流の例を示す説明図である。
【図６】本発明の他の実施の形態例によるシステム例を示す構成図である。
【図７】従来のシステムの一例を示す構成図である。
【発明を実施するための形態】
【００１５】
以下、本発明の一実施の形態例（以下、「本例」と称する）を、図１〜図６を参照して説明する。
［システム構成］
図１は、本例のコンピュータシステム構成を示す。
本例のコンピュータシステムは、４台のコンピュータ１００，２００，３００，４００を備える。そして、４台のコンピュータ１００〜４００が印刷用の制御や印刷データの保存などの、印刷システムに必要な制御やデータ処理を分散して行う。
【００１６】
４台のコンピュータ１００〜４００は、電源装置９０からの直流電源により作動する。
すなわち、電源装置９０は、直流１２Ｖの電源を出力する端子部９１と、接地電位ＧＮＤの端子部９２とを備える。この端子部９１，９２は、直流電源回路９３に接続され、直流電源回路９３から端子部９１，９２を介して直流１２Ｖの電源が出力され、各コンピュータ１００〜４００への電源供給処理が行われる。
この電源装置９０の端子部９１，９２と各コンピュータ１００〜４００とは、個別の電源ケーブル８１，８２，８３，８４で接続される。
【００１７】
例えば、第１コンピュータ１００の電源入力端子１１０は、電源ケーブル８１の一方のライン８１ａを使用して、電源装置９０の直流１２Ｖの端子部９１と接続される。また、第１コンピュータ１００の接地端子１２０は、電源ケーブル８２の他方のライン８１ｂを使用して、電源装置９０の接地電位ＧＮＤの端子部９２と接続される。
【００１８】
同様に、第２コンピュータ３００の電源入力端子２１０と接地端子２２０を、電源ケーブル８２のライン８２ａ，８２ｂを使用して、電源装置９０の端子部９１，９２に接続する。また、第３コンピュータ３００の電源入力端子３１と接地端子３２を、電源ケーブル８３のライン８３ａ，８３ｂを使用して、電源装置９０の端子部９１，９２に接続する。さらに、第４コンピュータ４００の電源入力端子４１０と接地端子４２０を、電源ケーブル８４のライン８４ａ，８４ｂを使用して、電源装置９０の端子部９１，９２に接続する。
【００１９】
ここまでは、図７で説明した従来のシステム構成と同じであるが、本例のコンピュータシステムの場合には、４台のコンピュータ１００〜４００の電源入力端子１１０，２１０，３１０，４１０と、接地端子１２０，２２０，３２０，４２０を、電源ケーブル８５で相互に接続している。
すなわち、各コンピュータ１００〜４００の電源入力端子１１０，２１０，３１０，４１０を、電源ケーブル８５の一方のライン８５ａで相互に接続する。また、各コンピュータ１００〜４００の接地端子１２０，２２０，３２０，４２０を、電源ケーブル８５の他方のライン８５ｂで相互に接続する。
【００２０】
このように、本例のコンピュータシステムでは、電源ケーブル８１〜８４の他に電源ケーブル８５を電源入力端子１１０，２１０，３１０，４１０に接続している。このため、各コンピュータ１００〜４００の電源入力端子１１０，２１０，３１０，４１０と接地端子１２０，２２０，３２０，４２０は、それぞれ２本のラインを接続可能な端子形状になっている。
なお、電源装置９０と４台のコンピュータ１００〜４００とを接続する電源ケーブル８１〜８４は、比較的長さを長く設定されている。例えば、電源ケーブル８１〜８４は、最大で５ｍ程度の長さに設定され、４台のコンピュータ１００〜４００をある程度離して設置できるようにする。
【００２１】
また、以下の説明で電源ケーブル８１，８２，８３，８４と電源ケーブル８５を区別する必要がある場合には、電源ケーブル８１，８２，８３，８４を電源供給用ケーブルと称し、電源ケーブル８５を機器間接続用ケーブルと称する。
【００２２】
第１コンピュータ１００の電源入力端子１１０と接地端子１２０は、電源入力部１０１に接続され、電源入力端子１１０に得られる直流１２Ｖ電源が電源入力部１０１に供給される。電源入力部１０１は、入力された直流１２Ｖ電源を、第１コンピュータ１００内の各部を作動させる電圧の電源に変換する。そして、電源入力部１０１は、得られた電源を第１コンピュータ１００内の各部（後述する処理部１０２，インターフェース１０３など）に供給する。
【００２３】
同様に、第２、第３および第４コンピュータ２００，３００，４００の電源入力端子２１０，３１０，４１０と接地端子２２０，３２０，４２０は、電源入力部２０１，３０１，４０１に接続され、電源入力部２０１，３０１，４０１で各コンピュータ２００，３００，４００内の各部を作動させる電圧の電源に変換される。
【００２４】
第１コンピュータ１００は、演算処理やデータの記憶処理などを行う処理部１０２と、外部と通信を行うインターフェース１０３を備える。同様に、第２、第３および第４コンピュータ２００，３００，４００についても、処理部２０２，３０２，４０２とインターフェース２０３，３０３，４０３を備える。
各コンピュータ１００，２００，３００，４００のインターフェース１０３，２０３，３０３，４０３はネットワーク７０に接続され、各コンピュータ１００〜４００の間でのデータ転送がネットワーク７０を経由して行われる。
【００２５】
なお、各コンピュータ１００〜４００は、非起動時には他の機器との通信などの最低限の処理を行うスタンバイ状態で待機し、起動状態に移行することで、演算処理やデータの記憶処理などが可能になる。各コンピュータ１００〜４００は、スタンバイ状態から起動状態に移行する起動処理時には、一時的に消費電流が定常状態での起動中の数倍（例えば５倍程度）に増加する。
【００２６】
ここで、本例のコンピュータシステムにおいては、各コンピュータ１００〜４００に電源を供給する個々の電源供給用ケーブル８１〜８４には、少なくとも定常状態での電流に、ある程度の電流を加えた程度の電流に耐えうる許容電流の電源ケーブルが使用される。但し、ここでの定常状態での電流に、ある程度の電流を加えた程度の電流は、１台のコンピュータが起動する際に流れる電流値よりも小さい値でもよい。
具体的には、本例のコンピュータシステムでは、定常状態での電流の３倍程度の電流に耐えうる電源ケーブルが使用される。機器間接続用ケーブル８５としても、電源供給用ケーブル８１〜８４と同等の許容電流の電源ケーブルが使用される。
【００２７】
［起動時の処理］
図２は、本例のコンピュータシステム内の各コンピュータ１００〜４００を起動させる際の処理例を示すフローチャートである。
本例のコンピュータシステム全体の起動は、例えば第１コンピュータ１００に外部からの起動指示が入力されることで行われる。図２のフローチャートは、この第１コンピュータ１００がシステム内の各コンピュータ１００〜４００を起動させる例を示す。
【００２８】
まず、第１コンピュータ１００は、システムの起動指示を与える外部からの入力があるか否かを判断する（ステップＳ１１）。起動指示の入力がないとき（ステップＳ１１のＮｏ）、第１コンピュータ１００は起動指示の入力があるまで待機する。
そして、起動指示の入力があるとき（ステップＳ１１のＹｅｓ）、第１コンピュータ１００は、第１コンピュータ１００自身を起動させる処理を開始する（ステップＳ１２）。その後、第１コンピュータ１００は、一定時間（例えば５００ｍ秒程度）待機してから（ステップＳ１３）、第２コンピュータ２００に起動指示を送る（ステップＳ１４）。
【００２９】
さらに、第１コンピュータ１００は、一定時間（ステップＳ１３と同じ時間）待機してから（ステップＳ１５）、第３コンピュータ３００に起動指示を送る（ステップＳ１６）。さらにまた、第１コンピュータ１００は、一定時間（ステップＳ１３と同じ時間）待機してから（ステップＳ１７）、第４コンピュータ４００に起動指示を送り（ステップＳ１８）、起動時の処理を終了する。
【００３０】
図３は、本例のコンピュータシステムが備える４台のコンピュータ１００〜４００の、起動時の電源電圧の変化を示す。図３の（Ａ），（Ｂ），（Ｃ），（Ｄ）は、それぞれ第１コンピュータ１００、第２コンピュータ２００、第３コンピュータ３００、および第４コンピュータ４００の電源入力部１０１〜４０１に供給される電源の電圧変化を示す。図３の横軸は時間であり、各電圧波形に示す破線は、電圧が規定値（ここでは１２Ｖ）から５％低下したレベルを示す。
【００３１】
図３において、時間ｔ１，ｔ２，ｔ３，ｔ４は、それぞれ第１コンピュータ１００、第２コンピュータ２００、第３コンピュータ３００、第４コンピュータ４００が起動処理を開始したタイミングを示す。図２のフローチャートに示すような起動制御処理を行うことで、各コンピュータ１００〜４００が起動するタイミングｔ１，ｔ２，ｔ３，ｔ４は、１台ごとに５００ｍ秒程度ずれた時間に設定される。
【００３２】
ここで、本例のコンピュータシステムでは、機器間接続用ケーブル８５を設けて、各コンピュータ１００〜４００で電源を分配できるように接続したことで、各コンピュータ１００〜４００の起動時に大きな電流が流れても、電源の電圧低下を５％以下に抑えることができる。但し、本例のコンピュータシステムの場合には、機器間接続用ケーブル８５を設けて各コンピュータ１００〜４００の電源入力端子１１０〜４１０および接地端子１２０〜４２０を接続したために、いずれか１台のコンピュータの起動時に、他の残りのコンピュータについても、同様に５％以下の電圧低下が発生する。
【００３３】
ここで、比較のために、本例のコンピュータシステムで、機器間接続用ケーブル８５を設けない構成（つまり図７と同様の接続構成）で、図２に示す起動タイミングをシフトさせた場合での、４台のコンピュータの電源電圧の変動を、図４に示す。
図４の（Ａ），（Ｂ），（Ｃ），（Ｄ）は、それぞれ図３の例と同様に４台のコンピュータ１００〜４００の電源電圧の変動を示す。
【００３４】
例えばタイミングｔ１で第１コンピュータ１００が起動することで、大きな電流が流れ、第１コンピュータ１００の電源電圧が５％を超えて大きく低下してしまう。同様に、タイミングｔ２，ｔ３，ｔ４で第２コンピュータ２００、第３コンピュータ３００、第４コンピュータ４００が起動することで、それぞれのコンピュータ２００，３００，４００の電源電圧が５％を超えて大きく低下する。
但し、図４の例の場合、電圧低下は起動したコンピュータだけであり、他のコンピュータに電圧低下が波及しない。
【００３５】
図５は、本例のコンピュータシステムで、第１コンピュータ１００の起動時における、各ケーブル８１〜８５に流れる電流を記載して示したものである。
図５において、電流ｉは、個々のコンピュータ１００〜４００が定常状態で流れる電流値を示す。また、１台のコンピュータ（例えばコンピュータ１００）が起動する際には、定常時の約５倍の電流５ｉが流れる。
【００３６】
ここで、本例のコンピュータシステムでは、機器間接続用ケーブル８５を設けたことで、電源装置９０から４台のコンピュータ１００〜４００への電源供給用ケーブル８１〜８４での電源の流れが均等化され、いずれの電源供給用ケーブル８１〜８４についても電流２ｉが流れる。そして、起動中の第１コンピュータ１００以外の３台のコンピュータ２００〜４００から、機器間接続用ケーブル８５を介して電流ｉずつが第１コンピュータ１００に分配され、合計で電流３ｉが、機器間接続用ケーブル８５を経由して第１コンピュータ１００に流れる。
よって、電源供給用ケーブル８１を介して得られる電流２ｉと、機器間接続用ケーブル８５を流れる電流３ｉとを加えた電流５ｉが、起動中の第１コンピュータ１００に得られる。
なお、図５の例では、第１コンピュータ１００以外の他の３台のコンピュータ２００〜４００として、定常状態で電流ｉが流れていることを想定したが、コンピュータ２００〜４００がスタンバイ状態の場合には、これらのコンピュータ２００〜４００に流れる電流は、電流ｉよりも小さい値になる。
【００３７】
以上説明したように、本例のコンピュータシステムによると、各コンピュータ１００〜４００を機器間接続用ケーブル８５で接続して電源を分配できるようにしたことで、起動時に大電流が必要な場合でも、大電流が１本のケーブルに集中して流れることがない。したがって、各コンピュータ１００〜４００の起動時の大きな電圧低下（図４に示すような５％を超える電圧低下）が発生せず、それぞれのコンピュータ１００〜４００の起動処理を適正に実行することができる。
【００３８】
また、起動時に１本のケーブルに集中して大電流が流れることがないため、それぞれの電源供給用ケーブル８１〜８４として、比較的長くすることができるようになる。具体的には、直流１２Ｖの電源を供給する電源供給用ケーブル８１〜８４として、約５ｍ程度の長距離のケーブルとすることができるので、４台のコンピュータ１００〜４００の設置の自由度がそれだけ向上する。
【００３９】
［変形例］
なお、図１に示す構成では、機器間接続用ケーブル８５として、４台のコンピュータ１００〜４００を相互に接続する電源ケーブルとした。これに対して、２台のコンピュータずつを順に接続するようにしてもよい。すなわち、図６に示すように、３本の機器間接続用ケーブル８６，８７，８８を用意する。そして、機器間接続用ケーブル８６の一方のライン８６ａで、第１コンピュータ１００の電源入力端子１１０と第２コンピュータ２００の電源入力端子２１０とを接続する。また、機器間接続用ケーブル８６の他方のライン８６ｂで、第１コンピュータ１００の接地端子１２０と第２コンピュータ２００の接地端子２２０とを接続する。
【００４０】
また、機器間接続用ケーブル８７の一方のライン８７ａで、第２コンピュータ２００の電源入力端子２１０と第３コンピュータ３００の電源入力端子３１０とを接続する。また、機器間接続用ケーブル８７の他方のライン８７ｂで、第２コンピュータ２００の接地端子２２０と第３コンピュータ３００の接地端子３２０とを接続する。
さらに、機器間接続用ケーブル８８の一方のライン８８ａで、第３コンピュータ３００の電源入力端子３１０と第４コンピュータ４００の電源入力端子４１０とを接続する。また、機器間接続用ケーブル８８の他方のライン８８ｂで、第３コンピュータ３００の接地端子３２０と第４コンピュータ４００の接地端子４２０とを接続する。
なお、図６に示す例の場合には、少なくとも第２コンピュータ２００と第３コンピュータ３００の電源入力端子２１０，３１０および接地端子２２０，３２０として、３本のラインを接続可能な端子形状にする必要がある。
【００４１】
この図６に示すように、機器間接続用ケーブル８６，８７，８８で２台ずつ順に接続した場合にも、起動時には図１の例のシステムと同様の条件で電流が分配され、規定値を超える電圧低下を防ぐことができる。
【００４２】
また、上述した実施の形態例では、４台のコンピュータを備えるシステムとしたが、本発明は、４台以外の複数台のコンピュータを備えるシステムにも適用可能である。すなわち、本発明は、Ｎ台（Ｎは２以上の整数）のコンピュータを備えて、そのＮ台のコンピュータに１台の電源装置から直流電源を供給するシステムに適用することもできる。
【００４３】
また、上述した実施の形態例では、起動タイミングをシステム内の全てのコンピュータで順にずらすようにしたが、２台以上の同時起動を行っても、電圧低下が規定範囲内に収まる場合には、複数台の同時起動を行うようにしてもよい。具体的には、Ｎ台のコンピュータを備えたシステムにおいて、起動時にコンピュータに供給される直流電源の電圧低下率が規定された低下率を超えない範囲で、Ｍ台（ＭはＮ未満で２以上の整数）のコンピュータを同時起動させて、Ｍ台のコンピュータを単位として起動時の起動タイミングをシフトさせるようにしてもよい。
【００４４】
また、図２に示す例では、システム内の１台のコンピュータからの指示で、他のコンピュータが順に起動するようにしたが、システム内の各コンピュータの起動タイミングをシフトさせる処理として、他の方法を適用してもよい。例えば、図１に示す４台のコンピュータ１００〜４００とは別の外部の制御機器から、４台のコンピュータ１００〜４００に順に起動指示が届くようにしてもよい。あるいは、それぞれのコンピュータ１００〜４００ごとに、起動指示が届いてから異なる期間待機してから起動するようにしてもよい。
【００４５】
また、上述した実施の形態例では、印刷システム用の複数台のコンピュータを備えたコンピュータシステムに適用した例とした。これに対して、その他の各種産業用のコンピュータシステムに本発明を適用してもよい。
【符号の説明】
【００４６】
７０…ネットワーク、８１，８２，８３，８４…電源ケーブル（電源供給用ケーブル）、８５，８６，８７，８８…電源ケーブル（機器間接続用ケーブル）、９０…電源装置、９１，９２…端子、１００…第１コンピュータ、１１０…電源入力端子、１２０…接地端子、２００…第２コンピュータ、２１０…電源入力端子、２２０…接地端子、３００…第３コンピュータ、３１０…電源入力端子、３２０…接地端子、４００…第４コンピュータ、４１０…電源入力端子、４２０…接地端子
【図１】
2020067760.tif 000003
【図２】
2020067760.tif 000004
【図３】
2020067760.tif 000005
【図４】
2020067760.tif 000006
【図５】
2020067760.tif 000007
【図６】
2020067760.tif 000008
【図７】
2020067760.tif 000009